(57)【要約】【課題】視聴中の番組に関連するキーワードについて、簡単に検索することが可能なキーワード検索システム、デジタル放送受信機及びキーワード検索方法を提供する。【解決手段】キーワード検索システムにおけるデジタル放送受信機は、ネットワークを介して接続されたサーバからキーワードを取得するキーワード取得部と、放送番組の番組情報に含まれる文字列とキーワードと比較してキーワードと一致した一致キーワードを抽出する文字列解析部と、画面に一致キーワードを表示するＧＵＩ制御部と、一致キーワードの中から視聴者が選択した一致キーワードに関連する検索情報を表示するブラウザとを備え、サーバは、検索数の多いキーワードまたは検索数が急増したキーワードの情報を蓄積するキーワード記憶部とデジタル放送受信機の要求に応じてキーワードを送信する送信部とを備えている。【選択図】図２
2011035628.tif 000002
【特許請求の範囲】
【請求項１】
デジタル放送受信機と、前記デジタル放送受信機の要求に応じてキーワードを提供するサーバとを備えたキーワード検索システムであって、
前記デジタル放送受信機は、
ネットワークを介して接続された前記サーバから前記キーワードを取得するキーワード取得部と、
放送番組の番組情報に含まれる文字列と前記キーワードと比較して前記キーワードと一致した一致キーワードを抽出する文字列解析部と、
画面に前記一致キーワードを表示するＧＵＩ制御部と、
前記一致キーワードの中から視聴者が選択した一致キーワードに関連する検索情報を表示するブラウザとを備え、
前記サーバは、検索数の多いキーワードまたは検索数が急増したキーワードの情報を蓄積するキーワード記憶部と、
前記デジタル放送受信機の要求に応じて前記キーワードを送信する送信部とを備えたことを特徴とするキーワード検索システム。
【請求項２】
前記サーバは、ネットワークを介して接続された他のサーバから前記キーワードの更新情報を取得することを特徴とする請求項１記載のキーワード検索システム。
【請求項３】
ネットワークを介して接続されたサーバからキーワードを取得するキーワード取得部と、
放送番組の番組情報に含まれる文字列と前記キーワードと比較して前記キーワードと一致した一致キーワードを抽出する文字列解析部と、
画面に前記一致キーワードを表示するＧＵＩ制御部と、
前記一致キーワードの中から視聴者が選択した一致キーワードに関連する検索情報を表示するブラウザと
を有することを特徴とするデジタル放送受信機。
【請求項４】
前記画面に前記一致キーワードを表示する際に専用の操作ボタンをリモコンに設けたことを特徴とする請求項３記載のデジタル放送受信機。
【請求項５】
前記画面にＥＰＧ（Electronic Program Guide）画面を表示させるＥＰＧ表示制御部を備え、
前記ＥＰＧ表示制御部は、前記一致キーワードの文字列を含む前記放送番組と前記一致キーワードの文字列を含まない前記放送番組との表示を区別して表示することを特徴とする請求項３記載のデジタル放送受信機。
【請求項６】
ネットワークを介して接続されたサーバからキーワードを取得するキーワード取得部と、
視聴者が視聴している放送番組の裏番組の番組情報に含まれる文字列と前記キーワードと比較して前記キーワードと一致した一致キーワードを抽出する文字列解析部と、
前記一致キーワードの文字列を含む裏番組を録画する裏番組録画制御部と
を有することを特徴とするデジタル放送受信機。
【請求項７】
ネットワークを介して接続されたサーバからキーワードを取得するキーワード取得部と、
視聴者が視聴している放送番組の次に放送される次番組の番組情報に含まれる文字列と前記キーワードと比較して前記キーワードと一致した一致キーワードを抽出する文字列解析部と、
前記一致キーワードの文字列を含む前記次番組を録画する次番組録画制御部と
を有することを特徴とするデジタル放送受信機。
【請求項８】
デジタル放送受信機におけるキーワード検索方法であって、
ネットワークを介して接続されたサーバからキーワードを取得するキーワード取得ステップと、
放送番組の番組情報に含まれる文字列と前記キーワードと比較して前記キーワードと一致した一致キーワードを抽出する文字列解析ステップと、
画面に前記一致キーワードを表示するキーワード表示ステップと、
前記一致キーワードの中から視聴者が選択した一致キーワードに関連する検索情報を表示する検索情報表示ステップと
を有することを特徴とするキーワード検索方法。
【発明の詳細な説明】
【技術分野】
【０００１】
本発明は、放送波およびネットワークを介して情報の伝送を行なうキーワード検索システム、デジタル放送受信機及びキーワード検索方法に関する。
【背景技術】
【０００２】
近年、テレビジョンセット等のデジタル放送受信機においては、放送番組を受像する機能のみならず、多くの機能が搭載されるようになってきており、通信機能を備え、インターネットなどのネットワークを介してさまざまな情報を取得することができるようになっている。
【０００３】
ネットワークを介してユーザの関心の高いＴＶ番組の情報を容易に取得することを実現するＴＶ番組録画配信システムとして、例えば、ユーザの関心が高い単語情報を示すユーザキーワード情報に一致する番組キーワード情報を含むＴＶ番組に係る情報を抽出し、ＴＶ番組全体の録画予約を行うための配信番組情報を作成してユーザ端末装置に送信するＴＶ番組録画配信システムが考案されている（例えば、特許文献１参照。）。
【先行技術文献】
【特許文献】
【０００４】
【特許文献１】特開２００４−６４３４３号公報
【発明の概要】
【発明が解決しようとする課題】
【０００５】
インターネットのＷｅｂ（World Wide Web）上のコンテンツは、フル配列キーボードやマウス、高解像度の表示装置を用いたＰＣ（Personal Computer）による閲覧表示を想定して作成される場合が多く、テレビジョンセット等のデジタル放送受信機におけるマン・マシンインタフェースでは不十分である場合が多く、Ｗｅｂ上のコンテンツを閲覧表示しようとすると、視聴者は面倒な操作を強いられることがある。
【０００６】
例えば、デジタル放送受信機の画面にキーボードと同じような配列の複数のボタンが表示され、視聴者はリモコンのカーソルボタンを操作して１字毎にボタンを選択して入力しなければならない場合がある。また、ＰＣのマウスポインタのように画面を自在に移動できないため、目的のボタンに辿り着くまでにリモコンのカーソルボタンを何度も操作しなければならない場合がある。
【０００７】
Ｗｅｂブラウザを搭載した従来のデジタル放送受信機では、番組視聴中に番組に登場するキーワードが気になった場合に、多くの操作を経て検索を行う必要があった。気になったキーワードに関して簡単な操作で検索できるデジタル放送受信機が求められている。
【０００８】
本発明は、上記したような事情に鑑み成されたものであって、視聴中の番組に関連するキーワードについて、簡単に検索することが可能なキーワード検索システム、デジタル放送受信機及びキーワード検索方法を提供することを目的とする。
【課題を解決するための手段】
【０００９】
上記目的を達成するために、本発明のキーワード検索システムは、デジタル放送受信機と、前記デジタル放送受信機の要求に応じてキーワードを提供するサーバとを備えたキーワード検索システムであって、前記デジタル放送受信機は、ネットワークを介して接続された前記サーバから前記キーワードを取得するキーワード取得部と、放送番組の番組情報に含まれる文字列と前記キーワードと比較して前記キーワードと一致した一致キーワードを抽出する文字列解析部と、画面に前記一致キーワードを表示するＧＵＩ制御部と、前記一致キーワードの中から視聴者が選択した一致キーワードに関連する検索情報を表示するブラウザとを備え、前記サーバは、検索数の多いキーワードまたは検索数が急増したキーワードの情報を蓄積するキーワード記憶部と、前記デジタル放送受信機の要求に応じて前記キーワードを送信する送信部とを備えたことを特徴とする。
【００１０】
また、本発明のデジタル放送受信機は、ネットワークを介して接続されたサーバからキーワードを取得するキーワード取得部と、放送番組の番組情報に含まれる文字列と前記キーワードと比較して前記キーワードと一致した一致キーワードを抽出する文字列解析部と、画面に前記一致キーワードを表示するＧＵＩ制御部と、前記一致キーワードの中から視聴者が選択した一致キーワードに関連する検索情報を表示するブラウザとを有することを特徴とする。
【００１１】
また、本発明のキーワード検索方法は、デジタル放送受信機におけるキーワード検索方法であって、ネットワークを介して接続されたサーバからキーワードを取得するキーワード取得ステップと、放送番組の番組情報に含まれる文字列と前記キーワードと比較して前記キーワードと一致した一致キーワードを抽出する文字列解析ステップと、画面に前記一致キーワードを表示するキーワード表示ステップと、前記一致キーワードの中から視聴者が選択した一致キーワードに関連する検索情報を表示する検索情報表示ステップとを有することを特徴とする。
【発明の効果】
【００１２】
本発明によれば、視聴中の番組に関連するキーワードについて、簡単に検索することができる。
【図面の簡単な説明】
【００１３】
【図１】本発明によるデジタル放送受信機を含むシステムの概要を示すブロック図。
【図２】デジタル放送受信機の実施例の構成を示すブロック図。
【図３】リモコンの実施例を示す概観図。
【図４】キーワードの取得から、一致キーワードの抽出、記憶までの動作フローを示す図。
【図５】視聴者の操作から一致キーワードに関連する情報の取得先のＵＲＬを画面に表示するまでの動作フローを示す図。
【図６】表示装置の画面に表示されたキーワード表示ウィンドウを示す図。
【図７】画面に選択された一致キーワードに関連する情報の検索結果が表示された状態を示す図。
【図８】実施例２におけるＨＴＭＬブラウザによるキーワード表示リストを示す図。
【図９】画面に選択された一致キーワードに関連する情報の検索結果が表示された状態を示す図。
【図１０】本発明の実施例３に係るデジタル放送受信機の構成を示すブロック図。
【図１１】画面にＥＰＧ画面が表示された状態を示す図。
【図１２】本発明の実施例４に係るデジタル放送受信機の構成を示すブロック図。
【図１３】画面に表示された録画通知ウィンドウを示す図。
【図１４】画面に表示された裏番組の録画リストウィンドウを示す図。
【図１５】画面に表示された保存確認ウィンドウを示す図。
【図１６】本発明の実施例５に係るデジタル放送受信機の構成を示すブロック図。
【図１７】画面に表示された録画予約ウィンドウを示す図。
【発明を実施するための形態】
【００１４】
以下本発明の実施例について図面を参照しながら説明する。
【実施例１】
【００１５】
図１は、本発明によるデジタル放送受信機１を含むシステムの概要を示すブロック図である。デジタル放送受信機１は、放送局３０から放送されるデジタル放送を受信する機能を有し、また送受信部２２を介してインターネット３１に接続され、ネットワーク上にあるサーバ３２あるいはサーバ３３と情報を送受信する機能を有する。
【００１６】
サーバ３２は、インターネット上において検索数の多いキーワードあるいは検索数が急増したキーワードの情報を蓄積する記憶部を備えている。サーバ３２は、検索急上昇ランキングなどのキーワード３４の一覧やキーワード３４に関連する情報の取得先のＵＲＬ（Uniform Resource Locator）をキーワード情報として蓄積している。また、デジタル放送受信機１の要求に応じてキーワード３４を送信する送信部を備えている。
【００１７】
サーバ３３は、キーワード３４の取得先のサーバである。サーバ３２は、ネットワークを介して接続された他のサーバからキーワード３４の更新情報を取得する。サーバ３３は、サーバ３２にキーワードの更新等を通知し、それに対してサーバ３２はキーワード３４の更新情報の取得を要求し、サーバ３３はサーバ３２にキーワード更新情報を送る。サーバ３２は、サーバ３３の機能を含む形式であってもよい。
【００１８】
図２は、本発明によるデジタル放送受信機１の実施例の構成を示すブロック図である。アンテナ２は、放送局３０から送信された放送電波を受信するための地上デジタル放送あるいは衛星デジタル放送用のアンテナである。チューナ３は、地上デジタル放送あるいは衛星デジタル放送の放送信号の中から所望のチャンネルの放送信号を選局し、受信した放送電波の映像信号、音声信号を復調しＭＰＥＧ２のトランスポートストリームに変換する。チューナ３は、複数のチューナユニットから構成されており、同時に複数の放送を受信することができる
【００１９】
デマルチプレクサ４は、多重化された信号を分離するもので、チューナ３から送られたトランスポートストリームの中から、映像信号、音声信号、番組情報・字幕情報等のデータ放送の各パケットを検出し、分離する。デマルチプレクサ４は分離した信号をデコード処理部５へ伝送する。
【００２０】
デコード処理部５は、番組情報デコード部６、字幕文字スーパーデコード部7、映像音声デコード部８の各機能を有する。番組情報デコード部６は、デマルチプレクサ４から送信されたデータをセクション化して、番組情報のデータをデコードする。字幕文字スーパーデコード部7は、独立ＰＥＳ（Packetized Elementary Stream）化して、字幕文字・スーパーをデコードする。映像音声デコード部８は、映像ＰＥＳ化に対しては映像ＥＳ（Elementary Stream)化、音声ＰＥＳ化に対しては音声ＥＳ化を行って映像データ及び音声データをデコードする。
【００２１】
重畳処理部９は、映像音声デコード部８からの映像データと、バスを介して転送されるデータ放送やＧＵＩ（Graphical User Interface)によるウィンドウ描画をプレーン管理して、映像データとの重ね合わせを行い、映像表示部１０に送る。
【００２２】
映像処理部１０は、表示装置１１で表示可能なフォーマット（画素数、フレーム周波数、走査方式）に変換したり、表示色を任意に調整したりして、表示装置１１に出力して映像を表示させる。音声処理部１２は、映像音声デコード部８から入力されたデジタルの音声データを、スピーカ１３で再生可能なアナログ音声信号に変換した後、スピーカ１３に出力して音声を再生させる。
【００２３】
デジタル放送受信機１は、上記した受信動作を含むその全ての動作を制御部１４によって統括的に制御されている。制御部１４はＭＰＵ（Micro Processing Unit）１５が搭載されており、バス１６を介して接続された各構成要素を制御する。
【００２４】
ＲＡＭ（Random Access Memory）１７は、制御部１４のデータ処理に必要な各種データを格納するリード／ライトメモリであり、映像データ等を格納するバッファメモリとして動作する。ＲＯＭ（Read Only Memory）１８は読出し専用メモリであり、制御部１４が実行する制御のプログラムなどを格納している。
【００２５】
フラッシュメモリ１９は、書き換え可能であり、電源を切ってもデータが消えない不揮発性の半導体メモリである。フラッシュメモリ１９は、デジタル放送受信機１が、サーバ３２から取得した検索急上昇ランキングなどのキーワード３４の一覧やキーワード３４に関する情報の取得先のＵＲＬ（Uniform Resource Locator）を記憶する機能を有する。
【００２６】
操作受信部２０は、操作機器２１から送信される操作信号を受信し、制御部１４に転送する。操作機器２１は、例えば、赤外線あるいはBluetooth等による無線通信を利用したリモコン（リモートコントローラ、remote controller）、有線式あるいは無線式キーボード等であり、操作信号を送出する。操作受信部２０は、そのリモコン、キーボード等から操作信号を受信する。
【００２７】
デジタル放送受信機１は、送受信部２２を介してインターネット３１に接続されている。これにより、デジタル放送受信機１は、ネットワーク上にあるサーバ３２等の機器と送受信部２２を介して情報伝送を行なうことができる。
【００２８】
制御部１４は、キーワード取得部２３、文字列解析部２４、ＧＵＩ制御部２５及びブラウザ２６の機能を有する。キーワード取得部２３は、ネットワーク上にあるサーバ３２に対してキーワード取得要求を送信し、サーバ３２から取得したキーワード３４及びキーワードに関連する情報の取得先のＵＲＬをフラッシュメモリ１９に記憶させる。
【００２９】
文字列解析部２４は、デコード処理部５によってデコードされた放送番組の番組情報、字幕文字・スーパー情報から解析対象の文字列を抽出する。番組情報のデータは、ＳＩ(Service Information、番組配列情報)のＥＩＴ(Event Information Table)に含まれており、番組名、放送日時、放送概要などの個々の番組に関する情報から文字列を抽出する。字幕文字・スーパーのデータは表示タイミングを合わせる字幕管理データの他に字幕文データが含まれている。その字幕文データの中の文字情報から文字列を抽出する。文字列解析部２４は、抽出した文字列とフラッシュメモリ１９に記憶されているキーワード３４とを比較し、一致した一致キーワードを抽出しＲＡＭ１７に記憶させる。
【００３０】
ＧＵＩ制御部２５は、ＲＡＭ１７に記憶された一致キーワードを表示装置１１の画面１１ａに表示する。視聴者が番組を視聴中にリモコンを操作することによって画面の一部あるいは全画面に亘って一致キーワードが掲示されたキーワード表示ウィンドウを表示する。
【００３１】
文字列解析部２４は、更に視聴者がキーワード表示ウィンドウの中の一つの一致キーワードを選択したとき、ブラウザ２６を起動して、選択された一致キーワードに関連する情報の取得先のＵＲＬを画面に表示する。ブラウザ２６は、例えば、ＨＴＭＬ（HyperText Markup Language）ブラウザである。
【００３２】
図３は、リモコン４０の実施例を示す概観図である。リモコン４０は赤外線あるいはBluetooth等による無線通信を利用して、デジタル放送受信機１の操作受信部２０へ操作信号を送る。電源ボタン４１は、デジタル放送受信機１の電源をオンまたはオフする。詳細にはデジタル放送受信機１を待機状態から動作状態、または動作状態から待機状態にするボタンである。
【００３３】
選局ボタン４２は、チャンネル番号を直接選択する１から１２までの番号が振られたボタンである。チャネル送りボタン４３は、チャネル番号を順送りまたは逆送りで選局するボタンであり、選局ボタン４２と同様にチャネルを選局するときに用いられる。音量調整ボタン４４は、番組を視聴するときの音量を調整するボタンである。
【００３４】
カーソルボタン４５は表示装置１１の画面に表示されたＧＵＩ画面の各種の情報ウィンドウ内のカーソルの移動や各種項目の選択ボタンの移動を行うためのボタンである。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタンで移動した先の位置または画面上のボタンを実行するときに用いられる。
【００３５】
キーワードボタン４７は、視聴中の番組に関連する一致キーワードを画面に表示するときに操作する専用の操作ボタンである。ブラウザボタン４８は、ＨＴＭＬブラウザを起動するときに操作する専用の操作ボタンである。番組表ボタン４９は、ＥＰＧ（Electronic Program Guide）を画面に表示するときに操作する専用の操作ボタンである。録画リストボタン５０は、一致キーワードを含む裏番組の録画リストを画面に表示するときに操作する専用の操作ボタンである。
【００３６】
図４は、キーワード３４の取得から、一致キーワードの抽出、記憶までの動作フローの例を示した図である。Ｓ１１において、視聴者が、ＴＶの電源を入れたり、番組を選局すると、キーワード取得部２３は、ネットワーク上にあるサーバ３２に対してキーワード取得要求を送出する。サーバ３２からキーワード３４を取得し、取得したキーワード３４とキーワード３４に関連する情報の取得先のＵＲＬをフラッシュメモリ１９に記憶させる。
【００３７】
Ｓ１２において、キーワード取得部２３は、キーワード取得が成功したかどうかを判定し、成功したならば、Ｓ１３へ移る。成功しなかったならば、Ｓ１７へ移る。
【００３８】
Ｓ１３において、文字列解析部２４は、フラッシュメモリ１９に記憶されたキーワードの３４中の一つを選択する。Ｓ１４において、文字列解析部２４は、選局された放送番組の番組情報、字幕文字・スーパー情報から解析対象の文字列を抽出し、キーワードと比較し、一致した場合は一致キーワードとしてＲＡＭ１７に記憶する。
【００３９】
Ｓ１５において、文字列解析部２４は、フラッシュメモリ１９に記憶されたキーワード３４が一通り選択したかを判定する。選択したならば、Ｓ１６へ移る。まだ選択していないキーワード３４が残っていれば、Ｓ１３へ戻って繰り返す。
【００４０】
Ｓ１６において、文字列解析部２４は、番組情報、字幕文字・スーパー情報内で更新データがあるかどうかを判定する。更新データがある場合には、Ｓ１３へ移って繰り返す。更新データがない場合には、Ｓ１７へ移る。
【００４１】
Ｓ１７において、文字列解析部２４は、一定時間が経過したかを判定する。一定時間が経過したならば、Ｓ１１へ移って、最初から動作フローを繰り返す。経過していないならば、Ｓ１３へ移って一定時間が経過するまで待つ。
【００４２】
図５は、視聴者の操作から一致キーワードに関連する情報の取得先のＵＲＬを画面に表示するまでの動作フローの例を示した図である。視聴者が、ＴＶの電源を入れたり、番組を選局した後で、視聴者が番組を視聴中に、リモコン４０のキーワードボタン４７を押下すると、制御部１４は、一致キーワードが掲示されたキーワード表示ウィンドウを画面に表示させる動作を行う。
【００４３】
Ｓ２１において、キーワード取得部２３は、サーバ３２からキーワード取得に成功したかどうかを判定する。成功していたならば、Ｓ２３へ移る。成功していなかったならば、Ｓ２２へ移る。Ｓ２２において、ＧＵＩ制御部２５は、表示装置１１の画面１１ａに「キーワードの取得に失敗しました」と表示する。
【００４４】
Ｓ２３において、文字列解析部２４は、フラッシュメモリ１９に記憶されたキーワード３４の中の一つを選択し、放送番組の番組情報や字幕文字・スーパー情報から文字列を抽出し、キーワードと比較し、一致したキーワードがあったかどうかを判定する。一致キーワードがあった場合には、Ｓ２５へ移る。一致キーワードが無かった場合には、Ｓ２４へ移る。Ｓ２４において、ＧＵＩ制御部２５は、表示装置１１の画面１１ａに「キーワードがありません」と表示する。
【００４５】
Ｓ２５において、ＧＵＩ制御部２５は、一致キーワードのリストを作成し、画面の一部あるいは全画面に亘って一致キーワードのリストが掲示されたキーワード表示ウィンドウを表示する。
【００４６】
図６は、表示装置１１の画面１１ａに表示されたキーワード表示ウィンドウ６０の例を示す図である。この例においては、視聴者がＡ番組を視聴中に、リモコン４０のキーワードボタン４７を押下した後で、一致キーワードが画面１１ａの右上隅に４個表示された状態を示している。視聴者は、カーソルボタン４５を操作して掲示された一致キーワードの中から一つを選択することができる。
【００４７】
Ｓ２６において、ＧＵＩ制御部２５は、視聴者がキーワード表示ウィンドウ６０の中の一致キーワードを選択したかを判定する。選択したと判定したならば、Ｓ２７へ移る。選択しなかったならば、終了する。
【００４８】
Ｓ２７において、文字列解析部２４は、視聴者が選択した一致キーワードをＲＡＭ１７から抽出し、選択された一致キーワードに関連する情報の取得先のＵＲＬを画面に表示させるようにＨＴＭＬブラウザ２６を立ち上げる。ＨＴＭＬブラウザ２６は、選択された一致キーワードに関連する情報の取得先のＵＲＬを画面１１ａに表示して終了する。
【００４９】
図７は、画面１１ａに選択された一致キーワードに関連する情報の検索結果が表示された状態の例を示す図である。文字列解析部２４は、視聴者が図６におけるキーワード表示ウィンドウ６０の中の「キーワード１」を選択したとき、ＨＴＭＬブラウザ２６を起動して、選択された「キーワード１」に関連する情報の取得先のＵＲＬを画面に表示する。図７に示す画面表示は、ＨＴＭＬブラウザによるブラウザ画面６１の表示状態である。キーワード表示リスト６２は、ＨＴＭＬブラウザによる表示となっている。「キーワード１検索」の下に関連する情報の取得先のＵＲＬが複数表示されている。
【００５０】
視聴者が画面１１ａに表示された複数のＵＲＬの中から興味のあるＵＲＬを選択することによって、ＨＴＭＬブラウザが目的のサーバ３３にアクセスしてサーバ３３から情報を受信し、画面１１ａにその情報を表示させることができる。
【００５１】
以上のように、視聴中の番組の番組情報、字幕文字・スーパー情報に含まれる文字情報が、例えば、インターネット上における検索数が急増したキーワード（検索急上昇ランキングなどのキーワード）と一致していれば、画面上に一致したキーワードが表示される。視聴者が一致キーワードのどれかを選択すると、即座に選択されたキーワードに関連する検索結果、すなわち情報の取得先のＵＲＬを表示することができる。視聴者は、視聴中の番組に関連するキーワードについて、リモコンによる面倒な操作をすることなく、簡単に検索結果が表示された画面に遷移することができる。
【実施例２】
【００５２】
図８は、実施例２におけるＨＴＭＬブラウザによるキーワード表示リスト５２の表示例を示す図である。この実施例２が実施例１と異なる点は、実施例１においては、視聴者が番組を視聴中に、リモコン４０のキーワードボタン４７を押下して画面１１ａにキーワード表示ウィンドウ５０を表示させたが、実施例２においては、視聴者が番組（例えば、番組Ａ）を視聴中に、リモコン４０のブラウザボタン４８を押下して画面１１ａにキーワード表示リスト６２を表示させることにある。
【００５３】
番組Ａを視聴中に図４で示した動作フローの処理を行うため、ＧＵＩ制御部２５は、ＨＴＭＬブラウザ２６を起動する。ＨＴＭＬブラウザ２６内で文字入力を行うときに図５で示した動作フローの処理を行い、番組Ａに関係する文字情報で検索急上昇ランキングのキーワードと一致した一致キーワードがキーワード表示リスト５２として表示される。視聴者はリモコン４０のカーソルボタン３５で一致キーワードを選択できる。
【００５４】
図９は、選択された一致キーワードに関連する情報の検索結果が表示された状態の例を示す図である。文字列解析部２４が、ＨＴＭＬブラウザの文字入力ウィンドウに入力することによって、検索結果が表示される。このように、視聴者はリモコンによる面倒な操作をすることなく、例えば、検索急上昇ランキング等のキーワードの中から番組に関連したキーワードについて簡単に検索することができる。
【実施例３】
【００５５】
図１０は、本発明の実施例３に係るデジタル放送受信機７０の構成を示すブロック図である。この実施例３の各部について、図２に示す実施例１のデジタル放送受信機１の各部と同一部分は同一符号である。この実施例３が実施例１と異なる点は、制御部１４を制御部７１に代えて、制御部７１にはＥＰＧ表示制御部７２を含む構成となっていることである。
【００５６】
制御部７１は、ＥＰＧを立ち上げるときに、図４で示した動作フローをＥＰＧで表示される全チャンネルに対して行い、ＥＰＧ表示制御部７２が、ＥＰＧ画面７３を構成する際に、ＥＰＧ画面７３内で一致キーワードが含まれる番組について、例えば、番組の背景色を変えたり、文字を太くしたり、文字の色を変えて、一致キーワードが含まれない番組と区別して表示することができる。
【００５７】
図１１は、画面１１ａにＥＰＧ画面７３が表示された状態を示す図である。視聴者が、例えば、リモコン４０の番組表ボタン４９を押下すると、ＥＰＧ表示制御部７２は、画面１１ａにＥＰＧ画面７３を表示する。一致キーワードが含まれる番組について、ハッチングで示すように一致キーワードが含まれない番組と区別できるように表示させることができる。
【００５８】
例えば、検索急上昇ランキング（キーワード）中に「歌手Ａ」、「スポーツ選手Ｂ」、「俳優Ｃ」、「バラエティフジ」（番組名称）が含まれていたとき、「音楽番組」の番組情報に「歌手Ａ」、「ニュースＡ」、「ニュースＢ」、「スポーツ番組」の番組情報に「スポーツ選手Ｂ」、「ワイドショー」の番組情報に「俳優Ｃ」がそれぞれ含まれていた場合には、該当番組の部分の背景色が色付けされて、他の番組と区別される。視聴者はＥＰＧ画面で、一致キーワードが含まれる番組を確認することができる。従って視聴者は、キーワードが含まれる番組を簡単に知ることができ、その番組を視聴することができる。
【実施例４】
【００５９】
図１２は、本発明の実施例４に係るデジタル放送受信機８０の構成を示すブロック図である。この実施例４の各部について、図２に示す実施例１のデジタル放送受信機１の各部と同一部分は同一符号である。この実施例４が実施例１と異なる点は、制御部１４を制御部８１に代えて、制御部８１には裏番組録画制御部８２を含む構成となっていることである。
【００６０】
また、デジタル放送受信機８０は、記録装置８３を備えている。記録装置８３は、ＨＤＤ（Hard Disk Drive）あるいはＳＳＤ（Solid State Drive）等を含む記録装置である。記録装置８３は、データバス１６に接続しているが、記録装置８３には情報を記録再生するためのインターフェース手段が搭載されており、該インターフェース手段を介してＨＤＤあるいはＳＳＤに放送番組等を録画し、また再生する。記録装置８３はデジタル放送受信機８０の外部にあっても構わない。その場合にはデジタル放送受信機８０は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）等のインターフェースを介してＨＤＤあるいはＳＳＤに放送番組等を録画し、また再生する。
【００６１】
制御部８１は、視聴者が視聴している番組の裏番組全体について、図４で示した動作フローを行い、裏番組録画制御部８２が、一致キーワードが含まれている番組について、記録装置８３に録画する。
【００６２】
裏番組録画制御部８２は、録画を開始するとき、ＧＵＩ制御部２５に作用して、画面１１ａ上に「キーワードが含まれる〜チャンネルの〜番組を録画します」と表示させる。図１３は、表示装置１１の画面１１ａに表示された録画通知ウィンドウ８４を示す図である。視聴者が番組視聴中に、画面の一部にポップアップウィンドウの形式で所定の時間表示される。所定の時間は、例えば、３〜３０秒である。
【００６３】
視聴者が、リモコン４０の録画リストボタン５０を押下すると、裏番組録画制御部８２がＧＵＩ制御部２５に作用し、一致キーワードを含む裏番組の録画リストを画面に表示する。図１４は、表示装置１１の画面１１ａに表示された裏番組の録画リストウィンドウ８５を示す図である。録画リストウィンドウ８５には、録画済みの番組のチャンネル番号、番組名、放送時間が表示されている。
【００６４】
図１５は、表示装置１１の画面１１ａに表示された保存確認ウィンドウ８５を示す図である。視聴者が図１４に示した録画リストウィンドウ８５の中から一つを選択すると、録画した番組を保存するかどうかを確認するための保存確認ウィンドウ８６が表示される。視聴者はＹｅｓまたはＮｏを選ぶことができる。Ｙｅｓを選択すれば「保存します」と表示されて保存され、Ｎｏを選択すれば「削除します」と表示され、削除される。
【００６５】
以上のように、裏番組録画制御部８２が、一致キーワードが含まれている番組について、記録装置８３に録画するため、キーワードが含まれる番組を見逃すことがなくなる。視聴者は、興味のある番組を選択して後から視聴することができ、また視聴する番組に関連するキーワードについて、リモコンによる面倒な操作をすることなく、簡単に検索結果が表示された画面に遷移することができる。
【実施例５】
【００６６】
図１６は、本発明の実施例５に係るデジタル放送受信機９０の構成を示すブロック図である。この実施例５の各部について、図１２に示す実施例４のデジタル放送受信機８０の各部と同一部分は同一符号である。この実施例５が実施例４と異なる点は、制御部８１を制御部９１に代えて、制御部９１には次組録画制御部９２を含む構成となっていることである。
【００６７】
制御部９１は、視聴者が視聴している番組の次番組について、図４で示した動作フローを行い、次番組録画制御９２が、次番組の番組情報に一致キーワードが含まれていたならば、ＧＵＩ制御部２５に作用して、録画予約ウィンドウ９３を表示させ、視聴者に番組の録画を促す。
【００６８】
図１７は、表示装置１１の画面１１ａに表示された録画予約ウィンドウ９３を示す図である。録画予約ウィンドウ９３には、「次番組が〜（例えば、番組Ｄ）がキーワードを含みます。録画しますか」と表示され、視聴者はＹｅｓまたはＮｏを選ぶことができる。Ｙｅｓを選択すれば「録画します」と表示されて録画予約され、Ｎｏを選択すれば「録画しません」と表示され、録画予約されない。
【００６９】
以上のように、次番組の番組情報に検索急上昇ランキングなどのようなキーワードが含まれていたならば、視聴者は簡単に番組予約をすることができ、次番組を見逃すことがない。また、次番組の視聴中にはキーワードに関連する検索結果に簡単に遷移することができる。
【００７０】
尚、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００７１】
１  デジタル放送受信機
２  アンテナ
３  チューナ
４  デマルチプレクサ
５  デコード処理部
６  番組情報デコード部
７  字幕文字スーパーデコード部
８  映像音声デコード部
９  重畳処理部
１０  映像表示部
１１  表示装置
１１ａ  画面
１２  音声処理部
１３  スピーカ
１４  制御部
１５  ＭＰＵ
１６  バス
１７  ＲＡＭ
１８  ＲＯＭ
１９  フラッシュメモリ
２０  操作受信部
２１  操作機器
２２  送受信部
２３  キーワード取得部
２４  文字列解析部
２５  ＧＵＩ制御部
２６  ＨＴＭＬブラウザ
３０  放送局
３１  インターネット
３２  サーバ
３３  サーバ
３４  キーワード
４０  リモコン
４７  キーワードボタン
４８  ブラウザボタン
４９  番組表ボタン
５０  録画リストボタン
６０  キーワード表示ウィンドウ
６１  ブラウザ画面
６２  キーワードリスト
７０  デジタル放送受信機
７１  制御部
７２  ＥＰＧ表示制御部
７３  ＥＰＧ画面
８０  デジタル放送受信機
８１  制御部
８２  裏番組録画制御部
８３  記録装置
８４  録画通知ウィンドウ
８５  録画リスト
８６  保存確認ウィンドウ
９０  デジタル放送受信機
９１  制御部
９２  次番組録画制御部
９３  録画予約ウィンドウ
【図１】
2011035628.tif 000003
【図２】
2011035628.tif 000004
【図３】
2011035628.tif 000005
【図４】
2011035628.tif 000006
【図５】
2011035628.tif 000007
【図６】
2011035628.tif 000008
【図７】
2011035628.tif 000009
【図８】
2011035628.tif 000010
【図９】
2011035628.tif 000011
【図１０】
2011035628.tif 000012
【図１１】
2011035628.tif 000013
【図１２】
2011035628.tif 000014
【図１３】
2011035628.tif 000015
【図１４】
2011035628.tif 000016
【図１５】
2011035628.tif 000017
【図１６】
2011035628.tif 000018
【図１７】
2011035628.tif 000019